(57)【要約】      （修正有）【課題】低所に設置されても通信装置本体に直接手を触れることができず、又通信装置本体のメンテナンスや放熱効果を妨げず、更に風圧による通信装置本体の破損を防止するプロテクトカバーを提供する。【解決手段】屋外に設置される屋外設置通信装置１をカバーするプロテクトカバー１２であって、屋外設置通信装置の背面に設けられ、中央に開口部１９が設けられたカバーベース９と、屋外設置通信装置を前面から挾込み、屋外設置通信装置に接しない状態でカバーベースと取付けられるフロントカバー８と、カバーベースとフロントカバーを固定する固着具２６と、屋外設置通信装置の底面に設けられたアンダーカバー１１と、アンダーカバーに設けられ特殊ドライバでのみ取外しが可能なキャプティブスクリュー２５と、フロントカバーの上面と底面に穿設されて貫通している通風孔１７とを具備する。【選択図】図１
2011023392.tif 000002
【特許請求の範囲】
【請求項１】
屋外に設置される屋外設置通信装置をカバーするプロテクトカバーであって、前記屋外設置通信装置の背面に設けられ、中央に開口部が設けられたカバーベースと、前記屋外設置通信装置を前面から挾込み、前記屋外設置通信装置に接しない状態で前記カバーベースと取付けられるフロントカバーと、前記カバーベースと前記フロントカバーを固定する固着具と、前記屋外設置通信装置の底面に設けられたアンダーカバーと、該アンダーカバーに設けられ特殊ドライバでのみ取外しが可能なキャプティブスクリューと、前記フロントカバーの上面と底面に穿設されて貫通している通風孔とを具備することを特徴とするプロテクトカバー。
【発明の詳細な説明】
【技術分野】
【０００１】
本発明は、屋外に設置される通信装置を保護するプロテクトカバーに関するものである。
【背景技術】
【０００２】
通常、屋外設置通信装置は設置に専用のポールを必要とし、ポールによって高所に設置されると共に、ポールの周囲にフェンスによる立入り禁止エリアを確保している。然し乍ら、近年コスト削減が求められており、立入り禁止エリアを縮小し、フェンスをなくすことで設備経費の削減を行っている。
【０００３】
又、屋外設置通信装置を設置する専用のポールに関しても、ポールを低くして屋外設置通信装置を低所に設置する、或は他機種のものと併用する等設備費の削減を図っている。
【０００４】
更に、近年各自治体により街並みの景観保護の一環として、環境色対応が求められており、屋外設置通信装置の外観色を通常のアイボリー色系から、ダークブラウン色に塗装する等の特別対応が多くなってきた。
【０００５】
図３に於いて、従来の通信装置について説明する。
【０００６】
図中、１は通信装置本体であり、該通信装置本体１の底面にはコネクタ部２と図示しない制御部を保護するメンテナンス扉３が設けられ、前記コネクタ部２を介してＲＦケーブル、電源ケーブル、通信信号ケーブル等のケーブル類が前記通信装置本体１と接続されている。又、前記通信装置本体１の背面にはヒートシンク４が設けられると共に、該ヒートシンク４を跨ぐ様に上下２箇所に取付け金具５が設けられている。該取付け金具５の両端部にはそれぞれ螺子孔６が穿設され、前記通信装置本体１は前記螺子孔６を介してポールに設置される様になっている。
【０００７】
又、底面部に設置された前記メンテナンス扉３はＴＯＲＸ（登録商標）等の特殊ドライバのみで開閉可能となっており、特殊ドライバを使用しなければ、前記メンテナンス扉３を開放して制御部より電源の投入、遮断等の操作ができない様な構造となっている。
【０００８】
然し乍ら、前記通信装置本体１は、ケーブル類が接続された前記コネクタ部２に直接手で触れられる構造となっている。該コネクタ部２は設置工事の際に防水処理として自己融着テープが施されるのみとなっている。自己融着テープは剥がすことができ、剥がすことで簡単にケーブル類の抜差しができる為、立入り禁止フェンスを設けず、前記通信装置本体１を低所に設置した場合には、いたずらでケーブル類が引抜かれてしまう虞れがあった。
【０００９】
又、該通信装置本体１を環境色対応とする際には、ダークブラウン色等の特別色を該通信装置本体１に対して直接塗装することで対応していた為、出荷台数の予想が付かず、注文を受けてからの対応となり、原価が高くなるという問題があった。
【発明の概要】
【発明が解決しようとする課題】
【００１０】
本発明は斯かる実情に鑑み、低所に設置されても通信装置本体に直接手を触れることができず、又該通信装置本体のメンテナンスや放熱効果を妨げず、更に風圧による前記通信装置本体の破損を防止するプロテクトカバーを提供するものである。
【課題を解決するための手段】
【００１１】
本発明は、屋外に設置される屋外設置通信装置をカバーするプロテクトカバーであって、前記屋外設置通信装置の背面に設けられ、中央に開口部が設けられたカバーベースと、前記屋外設置通信装置を前面から挾込み、前記屋外設置通信装置に接しない状態で前記カバーベースと取付けられるフロントカバーと、前記カバーベースと前記フロントカバーを固定する固着具と、前記屋外設置通信装置の底面に設けられたアンダーカバーと、該アンダーカバーに設けられ特殊ドライバでのみ取外しが可能なキャプティブスクリューと、前記フロントカバーの上面と底面に穿設されて貫通している通風孔とを具備するプロテクトカバーに係るものである。
【発明の効果】
【００１２】
本発明によれば、屋外に設置される屋外設置通信装置をカバーするプロテクトカバーであって、前記屋外設置通信装置の背面に設けられ、中央に開口部が設けられたカバーベースと、前記屋外設置通信装置を前面から挾込み、前記屋外設置通信装置に接しない状態で前記カバーベースと取付けられるフロントカバーと、前記カバーベースと前記フロントカバーを固定する固着具と、前記屋外設置通信装置の底面に設けられたアンダーカバーと、該アンダーカバーに設けられ特殊ドライバでのみ取外しが可能なキャプティブスクリューと、前記フロントカバーの上面と底面に穿設されて貫通している通風孔とを具備するので、部外者に容易に前記アンダーカバーを取外されることがなく、又前記プロテクトカバーによって前記屋外設置通信装置の放熱が妨げられず、更に前記プロテクトカバーが受けた風圧荷重によって前記屋外設置通信装置が破損することがない。又、特殊ドライバを用いることにより、アンダーカバーを容易に取外すことができる為、メンテナンスを簡単にできる。更に、各種カバーは塗装後に屋外設置通信装置に取付ける為、特別対応に応じた外観色の屋外設置通信装置を安価に作製することができるという優れた効果を発揮する。
【図面の簡単な説明】
【００１３】
【図１】本発明に於ける通信装置の斜視図である。
【図２】本発明の通信装置を示し、（Ａ）は正面図、（Ｂ）は側面図、（Ｃ）は背面図、（Ｄ）は底面図、（Ｅ）は平面図である。
【図３】従来の通信装置を示し、（Ａ）は正面図、（Ｂ）は側面図、（Ｃ）は背面図、（Ｄ）は底面図、（Ｅ）は平面図である。
【発明を実施するための形態】
【００１４】
以下、図面を参照しつつ本発明の実施例を説明する。
【００１５】
図１、図２に於いて、本実施例に於ける通信装置について説明する。尚、図１、図２中、図３中と同等のものには同符号を付し、その説明を省略する。
【００１６】
本実施例に於ける通信装置７は、フロントカバー８、カバーベース９、アンダーカバー１１を具備するプロテクトカバー１２で通信装置本体１を覆う構造となっている。
【００１７】
該通信装置本体１は背面に放熱用のヒートシンク４が設けられ、底面にコネクタ部２及びメンテナンス扉３（図３参照）が設けられ、前記コネクタ部２に各種ケーブル１３が接続されている。
【００１８】
前記フロントカバー８は背面が開口した箱形状であり、該フロントカバー８の開口部分から前記通信装置本体１を収納可能となっている。尚、前記フロントカバー８は前記通信装置本体１を収納した際に、該通信装置本体１と接触しない様充分な空間を有している。
【００１９】
又、前記フロントカバー８の上面には、前記通信装置本体１を収納した際に前記ヒートシンク４が外部に露出する様上面切欠き部１４が形成され、底面には前記通信装置本体１を収納した際に前記コネクタ部２が露出する様底面切欠き部１５が形成されている。更に、前記フロントカバー８の両側面の開口部分近傍には、それぞれ上下２箇所、計４箇所に通孔１６，１６′が穿設されると共に、上面と底面の前記ヒートシンク４が外部に露出する側とは逆側の両隅部には、それぞれ上面から底面迄貫通する流路が形成される様通風孔１７が穿設されている。尚、４箇所に穿設された前記通孔１６，１６′の内、下側に設けられた通孔１６′は長孔形状となっており、前記カバーベース９と固着する際の製作誤差を吸収できる様になっている。
【００２０】
前記カバーベース９は、長方形の板材の両側部を垂直に折曲げて側面部１８を形成しており、両側面間は前記通信装置本体１よりも広く、前記フロントカバー８よりも狭くなっている。又、前記カバーベース９の中心部には大きく開口部１９が形成され、該開口部１９の周縁部には螺子孔６（図３参照）を介して前記通信装置本体１をポール等に設置する際に邪魔にならない様取付け孔２１，２１′が穿設されている。尚、４箇所に穿設された前記取付け孔２１，２１′の内、下側に設けられた取付け孔２１′は長孔形状となっており、前記取付け金具５との製作誤差を吸収できる様になっている。更に、前記側面部１８にはそれぞれ上下２箇所、計４箇所に螺子孔２２が穿設されている。
【００２１】
前記アンダーカバー１１は長方形の板状部材であり、該アンダーカバー１１は長辺の１辺を垂直に折上げて位置決め片２３が形成され、該位置決め片２３は前記通信装置本体１の前記ヒートシンク４よりも下方の角部に引掛けて位置決めし、前記アンダーカバー１１が前記ヒートシンク４と干渉しない位置に設けられる様になっている。又、前記アンダーカバー１１には前記位置決め片２３の反対側に切欠き部２４が形成されている。
【００２２】
前記アンダーカバー１１を取付けた際には、ヒートシンク４の下面が露出すると共に、前記切欠き部２４によって前記コネクタ部２が露出する様になっている。又、前記アンダーカバー１１の両側部には抜止め防止のＴＯＲＸタイプのキャプティブスクリュー２５が少なくとも前記アンダーカバー１１の両端にそれぞれ設けられ、該キャプティブスクリュー２５によって前記アンダーカバー１１が前記フロントカバー８に取付けられる様になっている。
【００２３】
又、前記キャプティブスクリュー２５を緩める為には特殊ドライバ（ＴＯＲＸ）が必要であり、該特殊ドライバは前記メンテナンス扉３を開放する際に使用するものと同様のものを用いる。
【００２４】
前記通信装置本体１に前記プロテクトカバー１２を取付ける際には、先ず前記通信装置本体１を前記フロントカバー８に背面側から収納し、次に前記カバーベース９により前記通信装置本体１の背面を覆い、前記カバーベース９の前記側面部１８を前記通信装置本体１と前記フロントカバー８の間に挿入する。
【００２５】
その後、前記通孔１６，１６′と前記螺子孔２２の位置を合わせ、前記通孔１６，１６′を通してボルト等の固着具２６で前記螺子孔２２に螺着することで、前記フロントカバー８を前記カバーベース９に固定する。
【００２６】
最後に、前記位置決め片２３を前記通信装置本体１の角部に引掛け、前記アンダーカバー１１の前記底面切欠き部１５と前記切欠き部２４の位置が合う様に位置決めし、前記キャプティブスクリュー２５を締込むことで前記アンダーカバー１１が前記フロントカバー８に取付けられ、図示しないメンテナンス扉３が前記アンダーカバー１１によって覆われ、外部から保護される。
【００２７】
又、前記フロントカバー８と前記アンダーカバー１１が突合わされ、前記底面切欠き部１５と前記切欠き部２４が閉塞されることで前記プロテクトカバー１２の下面に孔が形成され、該孔の径は前記コネクタ部２に接続された前記ケーブル１３のプラグの径よりも小さくなっているので、前記アンダーカバー１１を取外すことなく前記ケーブル１３が引抜かれることがない。
【００２８】
上記の様に、前記フロントカバー８、前記カバーベース９、前記アンダーカバー１１をそれぞれ固定することで前記プロテクトカバー１２の取付けが完了し、前記通信装置７が完成する。
【００２９】
該通信装置７を図示しないポール等に取付ける際には、前記カバーベース９に穿設された取付け孔２１を貫通し、前記通信装置本体１の取付け金具５（図３参照）に穿設された前記螺子孔６（図３参照）と前記ポール等を螺子やボルト等の固着具で螺子止めすることで、前記通信装置７を設置することができる。
【００３０】
この時、前記上面切欠き部１４によって前記ヒートシンク４の上面が外部に露出し、前記アンダーカバー１１が前記ヒートシンク４と干渉しない位置にあるので該ヒートシンク４の下面が外部に露出する。従って、該ヒートシンク４の上下に流れる空気を遮らず、該ヒートシンク４の放熱を妨げることがない。更に、前記カバーベース９には大きく前記開口部１９が形成され、前記カバーベース９は前記ヒートシンク４の背面を僅かに覆うだけであるので、前記ヒートシンク４の背面の大部分が開放され、前記プロテクトカバー１２が前記ヒートシンク４の放熱を妨げることがない。
【００３１】
更に、前記フロントカバー８の上面と底面の前記ヒートシンク４が外部に露出する側とは逆側の両隅部には前記通風孔１７が穿設され、それぞれ上面から底面迄貫通する通風流路が形成されるので、前記フロントカバー８内での流体の流れを促進でき、前記通信装置本体１から発生した熱が前記フロントカバー８内で篭り、前記通信装置本体１の放熱を妨げることがない。
【００３２】
尚、抜止め防止の為の前記キャプティブスクリュー２５は、締込む時は手で締込むことができるが、緩める際には特殊ドライバ（ＴＯＲＸ）が必要であり、前記アンダーカバー１１を取外す際には特殊ドライバが必須となる為、部外者によるいたずらを防止することができる。
【００３３】
更に前記キャプティブスクリュー２５は抜止め防止構造となっているので、設置時やメンテナンス時に於ける螺子の落下や紛失の虞れがない。
【００３４】
又、前記通信装置７のメンテナンス時には、前記アンダーカバー１１を特殊ドライバにて開放するだけでよく、又該特殊ドライバは前記通信装置本体１のメンテナンス時に開放する前記メンテナンス扉３の開閉に使用するものと同一であり、作業性の向上及び部品数の減少を図ることができる。
【００３５】
本実施例では、前記通信装置本体１は前記カバーベース９を介してポールに設置され、前記フロントカバー８と接触することがないので、前記プロテクトカバー１２が風によって風圧荷重を受けた場合であっても前記通信装置本体１に荷重が加わることがない。
【００３６】
又、前記通信装置７は前記通信装置本体１を前記プロテクトカバー１２によって覆い隠す様な構造としたので、設置場所によって個別対応としていた環境色対応を、前記通信装置本体１自体に一切手を加えることなく標準塗装色のままとし、前記プロテクトカバー１２を環境色へと塗装するだけで実現することができ、作業時間や個別対応によるコスト増を軽減することができる。
【００３７】
（付記）
又、本発明は以下の実施の態様を含む。
【００３８】
（付記１）屋外に設置される屋外設置通信装置をカバーするプロテクトカバーであって、前記屋外設置通信装置の背面に設けられ、中央に開口部が設けられたカバーベースと、前記屋外設置通信装置を前面から挾込み、前記屋外設置通信装置に接しない状態で前記カバーベースと取付けられるフロントカバーと、前記カバーベースと前記フロントカバーを固定する固着具（固着ボルト）と、前記屋外設置通信装置の底面に設けられたアンダーカバーと、該アンダーカバーに設けられ特殊ドライバでのみ取外しが可能なキャプティブスクリューと、前記フロントカバーの上面と底面に穿設されて貫通している通風孔とを具備することを特徴とするプロテクトカバー。
【００３９】
（付記２）前記固着具（固着ボルト）は、前記カバーベースと前記フロントカバーを上下左右４箇所で固定する付記１のプロテクトカバー。
【００４０】
（付記３）前記キャプティブスクリューは、前記アンダーカバーの左右２箇所に設けられている付記１のプロテクトカバー。
【００４１】
（付記４）前記通風孔は、前記フロントカバーの上下左右４箇所を貫通している付記１のプロテクトカバー。
【符号の説明】
【００４２】
１              通信装置本体
２              コネクタ部
３              メンテナンス扉
４              ヒートシンク
７              通信装置
８              フロントカバー
９              カバーベース
１１            アンダーカバー
１２            プロテクトカバー
１４            上面切欠き部
１７            通風孔
１９            開口部
２１            取付け孔
２５            キャプティブスクリュー
【図１】
2011023392.tif 000003
【図２】
2011023392.tif 000004
【図３】
2011023392.tif 000005